(57)【要約】【課題】フェンスの支柱を利用して幟竿を十分に安定的に設立でき、さらに幟の設置や取扱いを簡略化可能にする。【解決手段】幟竿２０の挿通が可能なパイプ挿着部１６と、パイプ挿着部１６に連接され、フェンス１１の支柱１２に対し該支柱１２を挟むように取り付けられる一対の挟持片１７とを有する幟竿支持具１３、１４が、支柱２の上下部に装着され、支柱１２の下部側に取り付けられる幟竿支持具１４のパイプ挿着部１６には、このパイプ挿着部１６に挿通される前記幟竿の軸方向および回転方向への移動を規制する移動規制部材２２、２３が設けられる。【選択図】図１
0003120065.tif 000002
【実用新案登録請求の範囲】
【請求項１】
境界フェンスを保持する支柱に幟竿を取付ける幟竿支持装置であって、
該幟竿の挿通が可能な筒状のパイプ挿着部と、該パイプ挿着部の側部に連接され、前記支柱に対し該支柱を挟持するように取り付けられる一対の板状の挟持片を備えた幟竿支持具からなり、
該幟竿支持具を前記支柱の上部と下部に適宜間隔をおいて装着させると共に、前記支柱の下部側の前記幟竿支持具のパイプ挿着部には、該パイプ挿着部に挿通される前記幟竿の軸方向および回転方向への移動を規制する移動規制部材が設けられてなることを特徴とする幟竿支持装置。
【請求項２】
前記移動規制部材が、前記パイプ挿着部および幟竿を径方向に貫通するボルトおよび該ボルトに螺合するナットであることを特徴とする請求項１に記載の幟竿支持装置。
【請求項３】
前記挟持片が、前記支柱に対する当接面部で平板をなすことを特徴とする請求項１に記載の幟竿支持装置。
【請求項４】
前記挟持片には、該挟持片を前記支柱にボルト・ナットにて取り付けるための取付孔が設けられていることを特徴とする請求項１に記載の幟竿支持装置。
【考案の詳細な説明】
【技術分野】
【０００１】
本考案は、境界フェンスの支柱を利用して幟竿を立てるのに使用する幟竿支持装置に関する。
【背景技術】
【０００２】
従来から、商店等では、商品やサービスの宣伝、広告のために、その商品やサービスに関する文字や図形を表示した幟が、広く利用されている。この幟は、例えば垂直に設立される幟竿と、この幟竿の上端に水平に取り付けられた横棒と、この横棒と幟竿に対し上部および一側部に設けられた複数の耳輪が挿通される幟布とからなる（例えば、特許文献１参照）。
【０００３】
この構成になる幟では、幟布が、上部および一側部の耳輪によって横棒および幟竿に脱落することなく、平らに垂下支持されるところから、幟布上に表示された文字や図形を、付近の人々の目に触れ易くすることができる。なお、風を受けて幟布がユラユラたなびくことにより、その文字や図形がさらに人々の注意を惹くこととなり、宣伝、広告機能をさらに高めることができる。
【０００４】
ところで、前記幟は、商店の店先や舗道の一部に、例えばコンクリート製の基台を設置し、この基台の中心部に形成された支持穴に幟竿の下端を挿入または圧入することにより、略垂直に設立される。
【特許文献１】特開平８‐２１１８４０号公報
【考案の開示】
【考案が解決しようとする課題】
【０００５】
今日では、商品やサービスの宣伝、広告の効果を上げるために、あるいは幟布上の表示が遠くからでも人々が看取できるようにするために、幟の大型化が進んでいる。従って、幟の大型化に伴い長大化する幟竿を安定支持するためには、より重量で大型の基台が必要になり、人の歩行を妨げないで、この基台を店先等に設置する空間を確保することが難しくなっている。また、その基台の設置および取扱いが厄介となり、コスト高になるという問題がある。
【０００６】
本考案は、前記のような従来の問題を解決するものであり、店先や舗道に歩行の邪魔になる基台の設置を省くことができるとともに、幟竿を十分に安定に設立でき、さらに幟の設置や取扱いを簡略化できる幟竿支持装置を提供することを目的とする。
【課題を解決するための手段】
【０００７】
前記目的達成のために、本考案にかかる幟竿支持装置は、境界フェンスを保持する支柱に幟竿を取付ける幟竿支持装置であって、該幟竿の挿通が可能な筒状のパイプ挿着部と、該パイプ挿着部の側部に連接され、前記支柱に対し該支柱を挟持するように取り付けられる一対の板状の挟持片を備えた幟竿支持具からなり、該幟竿支持具を前記支柱の上部と下部に適宜間隔をおいて装着させると共に、前記支柱の下部側の前記幟竿支持具のパイプ挿着部には、該パイプ挿着部に挿通される前記幟竿の軸方向および回転方向への移動を規制する移動規制部材が設けられてなることを特徴とする。
【０００８】
この構成により、挟持片によって境界フェンス支柱に取り付けた幟竿支持具のうち、上部側の幟竿支持具のパイプ挿着部に、幟竿の下端部を下方に向かって差し入れ、さらにこの幟竿の下端部を下部側にある幟竿支持具のパイプ挿着部に差し入れると、幟竿はこれら２つのパイプに略垂直に支持可能となる。
また、下部側にある幟竿支持具のパイプ挿着部内では、移動規制部材によって前記幟竿の下端が軸方向および回転方向への移動が規制される。このため、幟布が強い風を受けても、前記幟竿が各パイプ挿着部内から脱出することはなく、また、旗布上の文字や図形などを所定の方向に向けさせることができる。
【０００９】
また、幟竿支持具はコンクリートで基部が固められたフェンスの支柱に固定されるため、幟の設置空間を小さく抑えることができる。さらに、幟布が風を受けて大きくたなびいても、幟竿を倒れないように強力に支持できる。
また、幟竿支持具は上下別々に適宜間隔で装着されるため、どのような長さの境界フェンス支柱でも取付可能である。
【００１０】
また、本考案にかかる幟竿支持装置は、前記移動規制部材が、前記パイプ挿着部および幟竿を径方向に貫通するボルトおよび該ボルトに螺合するナットであることを特徴とする。
この構成により、幟竿は、下部の幟竿支持具のパイプ内で確実に回転方向および軸方向移動が規制されるため、強風下でも幟布の向きをほぼ一定方向とすることができるとともに、幟竿がパイプ挿着部から脱出して倒れたり、舞い上がったりするのを回避できる。
【００１１】
また、本考案にかかる幟竿支持装置は、前記挟持片が、前記支柱に対する当接面部で平板をなすことを特徴とする。
この構成により、挟持片が例えば矩形断面の支柱の２つの平らな側面に密接するため、この密接部での接触面積および接触抵抗が大きくなる。従って、支柱に対する幟竿支持具の結合強度を高めることができ、この幟竿支持具に対し幟竿を安定支持することができる。
【００１２】
また、本考案にかかる幟竿支持装置は、前記挟持片に、該挟持片を前記支柱にボルト・ナットにて取り付けるための取付孔が設けられていることを特徴とする。
この構成により、幟竿支持具を支柱の側面に移動不可能かつ堅固に保持させることができる。
【考案の効果】
【００１３】
本考案によれば、幟竿を挿通可能なパイプ挿着部に、フェンスの支柱に対し該支柱を挟むように取り付けられる一対の挟持片を有する上下各一の幟竿支持具を連接し、前記支柱の下部に取り付けられる幟竿支持具のパイプ挿着部に、これに挿通される幟竿の軸方向および円周方向への移動を規制する移動規制部材を設けたことにより、幟竿の下端部を上部および下部の幟竿支持具のパイプ挿着部に、スムースに挿入可能とすることができる。
また、前記支柱の下部にある幟竿支持具のパイプ挿着部内では、幟竿の下端部が軸方向および回転方向への移動が規制されるため、強い風を受けても幟布が安定支持され、幟布上の文字や図形等を所定の方向に向けさせることができる。
【考案を実施するための最良の形態】
【００１４】
以下、本考案にかかる幟竿支持装置の実施形態を、図面を参照して説明する。
図１は、幟竿支持装置の実施形態を示す斜視図であり、この幟竿支持装置を取り付ける境界フェンスとともに示してある。同図において、例えば店舗の敷地と舗道等とを仕切る境界に沿って、コンクリート床に複数本の支柱１２が設立され、各支柱１２間に網状又は格子状のフェンス１１が張設されている。このため、支柱１２は大きな外力を受けても、容易には倒壊しない。
【００１５】
この支柱１２は、図示のように四側面が平らな各筒材からなり、上面部は塞がれた形態をなす。この支柱１２はアルミ材や鋼材などの金属材のほか、剛性の高いプラスチック材などで作られ、必要に応じ、錆止めや化粧のために表面に塗装が施される。
【００１６】
前記支柱１２の上下部の各一箇所には、鋼板製の幟竿支持具１３、１４がボルト・ナット１５により取り付けられている。これらのうち、上部の幟竿支持具１３は図２乃至図５に示すように、筒状のパイプ挿着部１６と、このパイプ挿着部１６の外周に一端側が連結された一対の板状の挟持片１７とからなる。
【００１７】
各幟竿支持具１３、１４は、例えば高さが５〜１０ｃｍ、好ましくは７ｃｍの長さを有し、パイプ挿着部１６に挿通させた幟竿が抜けたり、周辺へ大きく揺れないように保持する。また、各挟持片１７は、板体をＬ字状に屈曲した基部１７ａとこれに続く平板部１７ｂとからなり、平板部１７ｂは支柱１２の上部側面を挟むように、この支柱１２に固定される。
【００１８】
前記各挟持片１７は、図２および図４に示すように、対象形状、寸法を持ち、互いに対向するように、パイプ挿着部１６に取り付けられている。そして、各挟持片１７端の上下部の２箇所に、それぞれボルト挿入孔１８が穿設されている。これにボルトが挿入され、このボルトにナットがねじ込まれる。つまりボルト・ナット止めにより、各挟持片１７が支柱１２を挟持する形で、堅固に圧着固定される。
【００１９】
なお、各挟持片１７はパイプ挿着部１６の側部に溶接などによって片持ち固定されるため、片持ち固定部を中心として水平方向のばね性（弾性）が付与される。このため、相対する平板部１７ｂは支柱１２の寸法に僅かな違いがあっても、これを吸収した状態でその支柱１２に圧着固定することができる。
【００２０】
一方、下部の幟竿支持具１４は、全体として、図２乃至図５に示した幟竿支持具１３とは同一形状をなすものの、図６および図７に示すように、パイプ挿着部１６の下部には、ボルト挿入孔１９が穿設されている。このボルト挿入孔１９はパイプ挿着部１６を径方向に貫通する２つの孔である。なお、このほかの幟竿支持具１３と同一の構成部分には同一符号を付して、その重複する説明を省略する。
【００２１】
この上下部の各幟竿支持具１３、１４は、これらの各パイプ挿着部１６に幟竿２０を図１に示すように、上方から差し込んで支持するが、下部の幟竿支持具１４は、その幟竿２０の下端部を軸方向および回転方向に移動規制するように機能する。
【００２２】
図８は、このような幟竿２０の移動規制構造を示す。ここでは、幟竿２０の下端部に、これを径方向に貫通する２つの挿通孔２１が設けられており、前記ボルト挿通孔１９および挿通孔２１にパイプ挿着部１６の外からボルト２２が差し込まれ、パイプ挿着部１６の外へ出たボルト２２の先端にナット２３がねじ込まれている。ボルト２２およびナット２３は、幟竿２０の移動規制部材を構成している。
これにより、幟竿２０はパイプ挿着部１６に対して移動が規制され、パイプ挿着部１６の上方へ抜け出たり、パイプ挿着部１６の下方へ落ちたりするのを防止できる。
【００２３】
従って、前記のような構成になる幟竿支持装置にあっては、上下部の幟竿支持具１３，１４を、フェンスの支柱１２における所定の上下位置に、図１に示すように、ボルト・ナット１５を用いて固定することで、これらが堅固に支柱１２に保持可能となる。
【００２４】
また、予め幟布を耳輪等により吊持させた幟竿２０を用意し、この幟竿２０を幟竿支持具１３、１４の各パイプ挿着部１６に差し入れる。そして、下部のパイプ挿着部１６内で幟竿２０の前記挿通孔２１をパイプ挿着部１６のボルト挿入孔１９に合致させ、これらの各孔１９，２１にボルト２２を通した後、前記のようにボルト２２端にナットをねじ込む。これにより、幟竿２０が幟竿支持具１４内で移動することなく保持される。
【００２５】
従って、幟の全体が支柱１２に対し安定的に保持される。この結果、幟竿２０の設立のために、大型で重量の基台をコンクリート床や舗道上に設置する必要がなくなり、従って、人の歩行の邪魔になることもない。また、幟布が強風を受けても支柱１２はビクともしないため、幟竿２０が安定支持され、これが倒れる心配もない。
また、幟のサイズや幟竿の長さに応じて２つの幟竿支持具１３，１４の取り付け間隔を任意設定できるため、幟竿２０を安定支持できる。
【００２６】
以上のように、前記実施の形態にあっては、幟竿２０を挿通可能なパイプ挿着部１６と、パイプ挿着部１６に連接され、フェンス１１の支柱１２に対し該支柱１２を挟むように取り付けられる一対の挟持片１７とを有する幟竿支持具１３、１４が、前記支柱１２の上下部に適宜間隔で装着され、支柱１２の下部に取り付け可能な幟竿支持具１４のパイプ挿着部１６に、該パイプ挿着部１６に挿通される幟竿２０の軸方向および回転方向への移動を規制する移動規制部材２２、２３を設けることにより、幟竿２０の下端部を上部側および下部側の幟竿支持具１３、１４のパイプ挿着部１６に、スムースに挿入できる。また、下部側にある幟竿支持具１４のパイプ挿着部１６内では、幟竿２０の下端部が軸方向および回転方向への移動が規制されるため、強い風を受けても幟布が安定支持され、幟布上の文字や図形等を所定の方向に向けさせることができる。
【産業上の利用可能性】
【００２７】
本考案にかかる幟竿支持装置は、幟竿の下端部を上部側および下部側の幟竿支持具のパイプ挿着部に、スムースに挿入でき、下部側に位置する幟竿支持具のパイプ挿着部内では、幟竿の下端部が軸方向および回転方向への移動が規制される。これによって、強い風を受けても幟布が安定して支持でき、幟布上の文字や図形等を所定の方向に向けることができるという効果を有し、人の歩行に邪魔にならないフェンスの支柱を利用して、幟を簡単に設立するための幟竿支持装置等として有用である。
【図面の簡単な説明】
【００２８】
【図１】本考案の実施形態による幟竿支持装置の使用例を示す斜視図である。
【図２】図１に示す上部の幟竿支持具の斜視図である。
【図３】図１に示す上部の幟竿支持具の正面図である。
【図４】図１に示す上部の幟竿支持具の平面図である。
【図５】図１に示す上部の幟竿支持具の左側面図である。
【図６】図１に示す下部の幟竿支持具の斜視図である。
【図７】図１に示す下部の幟竿支持具の正面図である。
【図８】図１における下部の幟竿支持具による幟竿の支持構造を示す断面図である。
【符号の説明】
【００２９】
１１…フェンス
１２…支柱
１３…上部の幟竿支持具
１４…下部の幟竿支持具
１６…パイプ挿着部
１７…挟持片
１８、１９…ボルト挿入孔
２０…幟竿
２２…ボルト（移動規制部材）
２３…ナット（移動規制部材）
【図１】
0003120065.tif 000003
【図２】
0003120065.tif 000004
【図３】
0003120065.tif 000005
【図４】
0003120065.tif 000006
【図５】
0003120065.tif 000007
【図６】
0003120065.tif 000008
【図７】
0003120065.tif 000009
【図８】
0003120065.tif 000010